(57)【要約】【課題】従来の流体バランサでは共振回転速度以下で振動を抑制できず、脱水立ち上げの際にドラムの回転速度を上げてゆく過程で大きな振動が起こる場合がある。【解決手段】バランサの内部に形成した環状流路４０ａ〜４０ｄを周方向に区画する仕切壁４１の間隔を３０°以下にし、且つ環状流路の内周側壁面と仕切壁縁端との間に形成される内周側連通開口部４２のドラム径方向のサイズを小さくし、外周側連通開口部４３の面積を小さくする。これにより、共振回転速度以下において仕切壁で区切られる各区画室内に遠心力により液体が保持される。この状態でドラムを一時的に減速して液体に作用する遠心力を落とすことで該液体を内周側連通開口部を通して他の区画室に移動させ、バランサ自体が持つ偏心と洗濯物の片寄りによる偏心とを釣り合わせてドラム全体の偏心を小さくできる。また、バランサは共振回転速度以上では流体バランサとして機能し、振動を抑制できる。【選択図】図８
2011019964.tif 000002
【特許請求の範囲】
【請求項１】
筐体と、該筐体内に配設された外槽と、該外槽の内部に水平又は傾斜した軸を中心に回転自在に配設されたドラムと、該ドラムを回転駆動するモータと、を具備し、前記外槽内に水を貯留した状態で前記ドラムを低速で回転させることにより該ドラム内に収容された洗濯物を洗濯し、前記外槽内の水を槽外に排出して前記ドラムを高速で回転させることにより洗濯物を遠心脱水するドラム式洗濯機において、
前記筐体内の底部に配設され、前記外槽内から排出された水を貯留可能である貯水槽と、
前記貯水槽内の貯留水の有無又は水量を検出する検出手段と、
脱水運転時に前記検出手段による検出結果に基づき、前記貯留水が有る場合には無い場合に比べてより大きなドラム全体の偏心を許容する脱水立ち上げを実行する、又は前記貯留水の水量が多いほど脱水運転の際のドラム回転速度を高く設定する脱水制御手段と、
を備えることを特徴とするドラム式洗濯機。
【請求項２】
筐体と、該筐体内に配設された外槽と、該外槽の内部に水平又は傾斜した軸を中心に回転自在に配設されたドラムと、該ドラムを回転駆動するモータと、を具備し、前記外槽内に水を貯留した状態で前記ドラムを低速で回転させることにより該ドラム内に収容された洗濯物を洗濯し、前記外槽内の水を槽外に排出して前記ドラムを高速で回転させることにより洗濯物を遠心脱水するドラム式洗濯機において、
前記筐体内の底部に配設され、前記外槽内から排出された水を貯留可能である貯水槽と、
前記貯水槽内の貯留水の有無又は水量を検出する検出手段と、
脱水運転時に前記検出手段による検出結果に基づいて、ドラムの回転速度を脱水運転速度に立ち上げることを許容する、又は脱水回転速度を決めるためにドラムの偏心量を判定する判定閾値を変更する脱水制御手段と、
を備えることを特徴とするドラム式洗濯機。
【請求項３】
略箱状の筐体と、該筐体内に配置された外槽と、該外槽内に水平な又は傾斜した軸を中心に回転自在に配置されたドラムと、前記筐体の底部に対し前記外槽の底部を弾性支持する前面視略ハ字形状の２本のダンパと、を具備するドラム式洗濯機において、
前記筐体の底部の構成部材として、その底面の四隅に支持脚が取り付けられる樹脂製の脚台部を含み、該脚台部の上面の左右両側に上方に突出する左右一対の嵩上げ部を形成し、
各嵩上げ部を上下から挟み込むように、その上部に前後方向に延伸する金属製のダンパ取付部材を固定するとともに、その下部には同じく前後方向に延伸する金属製の補強部材を固定し、
前記ダンパ取付部材に前記ダンパの下端を固定したことを特徴とするドラム式洗濯機。
【請求項４】
前記外槽内から排出された水を貯留可能である貯水槽を備え、前記左右の補強部材に対して左右方向に延伸する複数の金属製の取付板を前後に離して差し渡すように装着し、該取付板の上に前記貯水槽を載せて固定したことを特徴とする請求項３に記載のドラム式洗濯機。
【発明の詳細な説明】
【技術分野】
【０００１】
本発明はドラム式洗濯機に関し、さらに詳しくは、ドラムを高速回転させて該ドラム内に収容されている洗濯物を遠心脱水する際の振動を抑制する技術に関する。
【背景技術】
【０００２】
一般にドラム式洗濯機は、略箱形状の筐体内に配設された外槽の内部に、水平な又は傾斜した軸を中心に周面円筒形状のドラムを回転自在に配置した構成を有しており、このドラム内に洗濯物を収容し、外槽内に水を貯留した状態でドラムを低速で回転させることによって洗濯物の洗濯を行うとともに、外槽内の水を排出した後にドラムを高速で回転させることにより洗濯物の遠心脱水を行う。
【０００３】
こうしたドラム式洗濯機のおける大きな課題の１つは、脱水時に起こる振動の抑制及びそれに伴う騒音の低減である。従来のドラム式洗濯機においてドラムを高速で回転させる際に、回転軸の周りでの洗濯物の片寄りに起因する振動を抑制するために、ドラムの端面に円環状の流体バランサが設けられている。流体バランサは円環状の中空体の内部に液体を封入したものであり、回転時に遠心力によってその液体が回転中心に対し同心の自由表面を形成する現象を利用したものである。
【０００４】
一般に、ドラムのような回転体の振動の振幅は、固有振動数により決まる所定の共振回転速度（危険速度と呼ばれる）まで回転速度の上昇に応じて増大し、危険速度において振動は最大となり、危険速度を超えた回転速度範囲では一定の振幅に収束する。この回転体に流体バランサを設けた場合、危険速度以上の回転速度では流体の自由表面円の中心が回転中心を挟んで偏心荷重と反対側（回転角度１８０°離れた位置）に位置するようになり、偏心荷重による振動を打ち消すように作用して振動振幅を小さくする。しかしながら、危険速度以下の回転速度領域では、流体の自由表面円の中心が回転中心に対して偏心荷重と同じ側に位置してしまうため、却って振動振幅は大きくなる。即ち、従来の流体バランサでは、危険速度以上の回転速度領域でのアンバランスを修正することは可能であるものの、危険速度以下の回転速度範囲を含む全回転速度範囲に亘っては回転軸周りのアンバランスを修正することはできないという原理的な問題がある。
【０００５】
ドラム式洗濯機では、通常、遠心脱水時のドラムの回転速度は８００〜１０００ｒｐｍ程度であり、危険速度はドラム径等により異なるものの２００〜３００ｒｐｍくらいである。そのため、遠心脱水の立ち上げ時にドラムの回転速度を徐々に上昇させてゆくとき、危険速度を通過するまでは流体バランサの効果がなく、外槽が大きく振動して大きな騒音が発生したり、場合によっては揺動する外槽が筐体内部に装着された部品に接触する等のおそれがある。
【０００６】
一方、比較的低い回転速度領域における振動を抑制することを目的としたドラム式洗濯機として、例えば特許文献１に記載のものが知られている。このドラム式洗濯機では、液体を封入した中空の密閉環状体の内部に内周側において連通している複数の貯水室を等間隔で放射状に設けてある。そして、ドラム内に収容された洗濯物に作用する遠心力が重力よりも大きいような回転速度で以てドラムを回転させた状態で、洗濯物の片寄りに起因する偏心荷重の位置をドラム円周上で検知し、検知された偏心位置に近い貯水室がドラム回転上方にきたときにドラムに一時的にブレーキを掛け、貯水室内に保持されている液体を重力によって落下させて他の貯水室に移動させる。それにより、貯水室に保持される液体は、回転軸を挟んで洗濯物の偏在に起因する偏心荷重と対向する側に片寄り、両者の釣り合いによってドラム全体の偏心を小さくすることができる。
【０００７】
しかしながら、ドラムの回転速度が危険速度以上に上昇され、脱水が進行して洗濯物から水が抜けると洗濯物の片寄りに起因する偏心荷重の大きさや位置が変化する場合がある。この場合でも、上記のような貯水室を用いたバランサ自体の重量バランスは変化しないため、場合によってはドラム全体の偏心が大きくなるおそれがある。即ち、危険速度以上の回転速度においては振動抑制効果を有さない場合があるどころか、逆に振動を大きくしてしまうこともある。
【０００８】
こうしたことから、遠心脱水時に生じる振動や騒音をより確実に抑制するために、危険速度を挟んでそれ以下及びそれ以上の全回転速度範囲に亘って、回転軸周りのアンバランスを効果的に修正することが可能なドラム式洗濯機が強く要望されている。
【０００９】
また、上記のようなバランス調整を行うためには、回転状態にあるドラム円周上で偏心荷重の位置を把握し、その位置に応じた適宜の回転位置でドラムを減速させる必要がある。こうした偏心位置の検知とバランス調整動作を行うための回転位置の基準として、従来、モータのロータに取り付けた磁石とホール素子との組み合わせによりドラム１回転毎に１個のパルス信号を発生させるようにしている。しかしながら、こうした部品を設けることはコスト増加になるため、そうした部品を用いることなく偏心位置の検知やバランス調整を的確に行えることが要望されている。
【００１０】
また、遠心脱水時に筐体の振動を抑制させるには筐体自体の重量を大きくすることが有効である。しかしながら、筐体に重錘を設置すると洗濯機自体の重量が大きくなり、運搬や据付けがたいへんである。こうしたことから、基本的には洗濯機の重量を大きくすることなく、遠心脱水時には可能な限り筐体の重量を増すことにより筐体の振動を抑えるような構成が望まれている。
【００１１】
さらにまた、従来、衣類投入口を前面に備えるドラム式洗濯機では衣類投入口の位置が低く、ドラム内への洗濯物の出し入れがしにいという問題がある。これを解決するために、筐体の全高を高くしてドラムを内装する外槽の位置を高くするという構成が考えられる。しかしながら、その場合、外槽の振動を吸収するために外槽の底部を弾性支持するダンパの長さを長くすると、振動抑制の効果が減じてしまう。
【先行技術文献】
【特許文献】
【００１２】
【特許文献１】特開２００３−９３７９０号公報
【発明の概要】
【発明が解決しようとする課題】
【００１３】
本発明は上記課題を解決するために成されたものであり、本発明の第１の目的とするところは、偏心荷重の検知やバランス調整動作のための構成を簡略化してコスト低減を図ることができるドラム式洗濯機を提供することである。
【００１４】
また本発明の第２の目的とするところは、洗濯機の基本的な重量を増加させずに、遠心脱水時に筐体の振動を抑制しながら脱水効率を高めることができるドラム式洗濯機を提供することにある。
【００１５】
また本発明の第３の目的とするところは、使い勝手を向上させるために外槽の位置を高くしたドラム式洗濯機において、ダンパによる高い振動抑制効果を維持しながら筐体構造の強度を確保することができるドラム式洗濯機を提供することにある。
【課題を解決するための手段】
【００１６】
上記第１の目的を達成するために成された第１発明は、筐体と、該筐体内に配設された外槽と、該外槽の内部に水平又は傾斜した軸を中心に回転自在に配設されたドラムと、該ドラムを回転駆動するモータと、を具備し、前記外槽内に水を貯留した状態で前記ドラムを低速で回転させることにより該ドラム内に収容された洗濯物を洗濯し、前記外槽内の水を槽外に排出して前記ドラムを高速で回転させることにより洗濯物を遠心脱水するドラム式洗濯機において、
前記筐体内の底部に配設され、前記外槽内から排出された水を貯留可能である貯水槽と、
前記貯水槽内の貯留水の有無又は水量を検出する検出手段と、
脱水運転時に前記検出手段による検出結果に基づき、前記貯留水が有る場合には無い場合に比べてより大きなドラム全体の偏心を許容する脱水立ち上げを実行する、又は前記貯留水の水量が多いほど脱水運転の際のドラム回転速度を高く設定する脱水制御手段と、
を備えることを特徴としている。
【００１７】
同じく上記第１の目的を達成するために成された第２発明は、筐体と、該筐体内に配設された外槽と、該外槽の内部に水平又は傾斜した軸を中心に回転自在に配設されたドラムと、該ドラムを回転駆動するモータと、を具備し、前記外槽内に水を貯留した状態で前記ドラムを低速で回転させることにより該ドラム内に収容された洗濯物を洗濯し、前記外槽内の水を槽外に排出して前記ドラムを高速で回転させることにより洗濯物を遠心脱水するドラム式洗濯機において、
前記筐体内の底部に配設され、前記外槽内から排出された水を貯留可能である貯水槽と、
前記貯水槽内の貯留水の有無又は水量を検出する検出手段と、
脱水運転時に前記検出手段による検出結果に基づいて、ドラムの回転速度を脱水運転速度に立ち上げることを許容する、又は脱水回転速度を決めるためにドラムの偏心量を判定する判定閾値を変更する脱水制御手段と、
を備えることを特徴としている。
【００１８】
第１発明及び第２発明に係るドラム式洗濯機では、例えば洗濯運転の最終すすぎ行程時に使用された、比較的汚れの少ない水を機外に排出せずに貯水槽に溜め、これを次の洗濯運転の洗い行程などに再利用することにより節水を図る。したがって、例えば最終すすぎ行程後の最終脱水行程の開始時点では貯水槽に水が貯留されているが、それ以外の、例えば洗い行程後や１回目のすすぎ行程の後などに行われる中間脱水行程の開始時点では貯水槽は空である。また、例えば上記のような水の再利用を行わないようなコースを使用者が選択した場合には、最終脱水行程の開始時点でも貯水槽に水が貯留されていない状況が考えられる。
【００１９】
そこで、検出手段は脱水行程の開始時に例えば貯水槽内に水が有るか否かを検出する。例えば貯水槽の容量が３０Ｌであれば、水が満杯に貯留されている状態ではその重量は約３０ｋｇであり、これだけの重量の重錘を筐体に付加したのと同じことになる。そのため、貯水槽内に水が無い場合に比べて、同一の偏心がドラムにあったとしても振動は小さくなる。そこで、第３発明に係るドラム式洗濯機において、脱水制御手段は、例えば貯水槽内に貯留水が有る場合には無い場合に比べて、より大きな偏心があっても脱水運転の立ち上げを許可する。これにより、貯水槽内に水が有る状態では、脱水運転時のドラム円周上での洗濯物の片寄りがあっても振動がそれほど大きくならずに済み、脱水の立ち上げに要する時間が短縮できる。また、同一程度の偏心が生じている場合でも、貯水槽内に水が有るときには振動や騒音が抑えられ、静粛性を確保できる。また、脱水制御手段は、例えば貯水槽内の貯留水の水量が多いほど脱水運転のためのドラム回転速度を高くする。したがって、貯水槽内に貯留水が有るときには、脱水効率が向上し例えば引き続き乾燥を行う際に乾燥運転の時間を短縮することができる。
【００２０】
また第２発明に係るドラム式洗濯機では、より具体的に、脱水制御手段は、検出手段による検出結果に基づいて、貯水槽内に水が有る場合には無い場合に比べてドラムの偏心量を判定する判定閾値を大きくする。例えば、偏心量が判定閾値以上であるという条件の下にドラムの回転速度を脱水運転速度に立ち上げる場合には、判定閾値を大きくすることにより脱水運転立ち上げの偏心量の許容値を大きくしたことになり、洗濯物の片寄りが大きくても脱水運転が遂行され易くなる。また、貯水槽内に水が有る場合には無い場合に比べて、同一偏心量に対する脱水回転速度を高くするようにしてもよい。これによれば、脱水効率が向上する。
【００２１】
なお、貯水槽自体は上述のように節水を目的として設けられているが、例えば水の再利用を行わないコースが選択されている場合であっても、脱水運転時の振動を抑制する目的であえて外槽から排出される水を貯水槽に導入し、脱水運転が終了したならば貯留した水を機外に排出するようにしてもよい。
【００２２】
上記第２の目的を達成するために成された第３発明は、略箱状の筐体と、該筐体内に配置された外槽と、該外槽内に水平な又は傾斜した軸を中心に回転自在に配置されたドラムと、前記筐体の底部に対し前記外槽の底部を弾性支持する前面視略ハ字形状の２本のダンパと、を具備するドラム式洗濯機において、
前記筐体の底部の構成部材として、その底面の四隅に支持脚が取り付けられる樹脂製の脚台部を含み、該脚台部の上面の左右両側に上方に突出する左右一対の嵩上げ部を形成し、
各嵩上げ部を上下から挟み込むように、その上部に前後方向に延伸する金属製のダンパ取付部材を固定するとともに、その下部には同じく前後方向に延伸する金属製の補強部材を固定し、
前記ダンパ取付部材に前記ダンパの下端を固定したことを特徴としている。
【００２３】
第３発明に係るドラム式洗濯機では、樹脂製の嵩上げ部が金属製のダンパ取付部材と補強部材とにより上下から挟み込まれるように補強されているため、ダンパを支え受けるのに十分な強度を確保することができる。それにより、使い勝手を高めるために外槽の位置を従来より高くしてもダンパ自体の長さを変更する必要がなく、十分な振動抑制効果を得ることができる。
【００２４】
また第３発明に係るドラム式洗濯機では、外槽内から排出された水を貯留可能である貯水槽を備え、前記左右の補強部材に対して左右方向に延伸する２本以上の金属製の取付板を前後に離して差し渡すように装着し、該取付板の上に前記貯水槽を載せて固定した構成とすることができる。
【００２５】
この構成によれば、上述したように水が貯留された状態ではかなりの重量を持つ貯水槽を、複数の取付板により安定して保持することができる。また、複数の取付板と両側の補強部材とにより金属製の矩形状の骨組が形成されるので、脚台自体を補強して搬送や据付時の変形などを防止することができる。
【発明の効果】
【００２６】
第１及び第２発明に係るドラム式洗濯機によれば、貯水槽に水が貯留されている場合に、これを利用して脱水運転時の筐体の振動を抑制することができる。また、貯水槽に水が貯留されたときにこれが振動抑制用の重錘として機能することを見越して、筐体自体の重量を或る程度軽くすることもでき、その場合には、当該ドラム式洗濯機の搬送や据付の負担を軽減することができる。
【００２７】
第３発明に係るドラム式洗濯機によれば、使い勝手を高めるために筐体の全高を高くしドラムを内装した外槽の位置も高くした場合でも、ダンパの長さを従来と同様にすることができ、ダンパの振動抑制効果が低下することを回避できる。
【図面の簡単な説明】
【００２８】
【図１】本発明の一実施例によるドラム式洗濯乾燥機の外観斜視図。
【図２】本実施例のドラム式洗濯乾燥機の概略側面縦断面図。
【図３】本実施例のドラム式洗濯乾燥機において脚台部にダンパ及び貯水タンクを装着した状態の斜視図。
【図４】図３の状態を底面側から見たときの斜視図。
【図５】図３のダンパの位置での正面縦断面図。
【図６】図２中のＡ部の拡大図。
【図７】本実施例のドラム式洗濯乾燥機におけるバランサの中心軸線Ｐに直交する面での断面の一部を示す図。
【図８】図７中のＢ−Ｂ’矢視線及びＣ−Ｃ’矢視線での断面図。
【図９】本実施例のドラム式洗濯乾燥機の電気系ブロック構成図。
【図１０】本実施例のドラム式洗濯乾燥機における脱水行程時のドラムの回転速度の変化の状態を示す概略図。
【図１１】本実施例のドラム式洗濯乾燥機における脱水行程時の制御フローチャート。
【図１２】本実施例のドラム式洗濯乾燥機におけるバランス調整の原理を説明するための模式図。
【図１３】本実施例によるドラム式洗濯乾燥機の制御部における回転位置決め用回路の構成図。
【図１４】図１３に示した回路の動作タイミング図。
【発明を実施するための形態】
【００２９】
以下、第１乃至第３発明の一実施例であるドラム式洗濯乾燥機について図面を参照して説明する。図１は本実施例のドラム式洗濯乾燥機の外観斜視図、図２は本実施例のドラム式洗濯乾燥機の概略側面縦断面図である。
【００３０】
本ドラム式洗濯乾燥機の外形を成す筐体１は全体として略箱形状である。筐体１の前面１ａは、上部から中央部にかけて緩やかに湾曲しつつやや斜め上方を向く形状になっており、そこに略円形状の衣類投入口１ｂが形成され、衣類投入口１ｂは内部を透視可能である横開き式のドア２で以て開閉可能である。また、前面１ａの上部つまり衣類投入口１ｂの上には、左右に細長く、各種操作キーや表示器が配置された操作パネル５が設けられ、その左側には前方に引き出し式の洗剤容器６が設置され、右側には同じく引き出し式の乾燥フィルタ容器７が設置されている。
【００３１】
筐体１の上面１ｃには一端が水道栓に接続される給水ホースの他端が接続される給水ホース接続口３が配置され、その右隣には一端が浴槽内の風呂水に浸漬される風呂水ホースの他端が接続される風呂水ホース接続口４が配置されている。給水ホース接続口３は後述する給水バルブ２１の入水口を直接上面に露出させることで形成されており、風呂水ホース接続口４は風呂水ポンプ２２の入水口を直接上面に露出させることで形成されている。
【００３２】
図２に示すように、筐体１の内部には、周面が略円筒形状の外槽１０が左右両下側方を支持するダンパ１１と上部を牽引する図示しないばねとにより適度に揺動自在に保持されている。外槽１０の前面には筐体１の衣類投入口１ｂに相対して円形状に開口した外槽前面開口１０ａが形成され、この外槽前面開口１０ａの周縁部と衣類投入口１ｂの周縁部とはゴムなどの弾性体から成る扁平円筒形状のパッキン１２によって連結されている。
【００３３】
外槽１０の内部には、洗濯物を収容するための周面略円筒形状のドラム１３が前後方向に延伸し且つ前上がりに傾斜して設けられた主軸１４により軸支されている。ドラム１３の前端面には大きく開口したドラム前面開口１３ａが形成されており、ドア２が開放されると、前方斜め上から外槽前面開口１０ａとこのドラム前面開口１３ａとを通して、ドラム１３内部が覗き込めるようになっている。ここでは、ドラム１３の中心軸線Ｃつまり主軸１４の中心軸線の傾斜角度θは水平線に対して約１５°に定められているが、これは一例であり、傾斜角度θは例えば１０〜３０°程度の適度な角度に設定される。
【００３４】
主軸１４の前端はドラム１３の後面に強固に固定され、外槽１０の後面部に装着された軸受固定部材１５に保持される軸受１６により回転自在に支承されている。外槽１０の後方側に突出した主軸１４の端部には、ダイレクトドライブ方式のモータとしてアウタロータ型のモータ（ドラムモータ）１７のロータ１７２が取り付けられ、一方、軸受固定部材１５にはモータ１７のステータ１７１が固定されている。永久磁石を含むロータ１７２は巻線を含むステータ１７１の外周側を取り囲むように配置されており、ステータ１７１に駆動電流が供給されるとロータ１７２は回転し、主軸１４を介してロータ１７２と同一の回転速度でドラム１３が回転駆動される。
【００３５】
筐体１内の上部空間には、給水バルブ２１、風呂水ポンプ２２、注水口部２３を含む給水ユニット２０が配設されている。この給水バルブ２１の上方に指向した入水口が上記給水ホース接続口３であり、風呂水ポンプ２２の上方に指向した入水口が上記風呂水ホース接続口４である。洗剤容器６を引き出し自在に内装する注水口部２３は給水バルブ２１の前方に配置され、給水バルブ２１や風呂水ポンプ２２を経て注水口部２３に供給された水は主として洗剤容器６の内部を通り、注水口部２３の底部に接続された注水管２４を通して外槽１０の後部に設けられた注水口２５から外槽１０内へと供給される。
【００３６】
上述したように給水が行われて外槽１０に貯留した水は、ドラム１３の周壁面に多数穿孔された通水穴１３ｂを通してドラム１３内へと流入する。また、ドラム１３の高速回転による遠心脱水時にドラム１３内で洗濯物から吐き出された水は通水穴１３ｂを通して外槽１０側へと飛散する。外槽１０の底部後方には排水口２６が設けられ、排水口２６は排水バルブ２７の流入口に接続されており、この排水バルブ２７が開放されると外槽１０内に貯留されている水は筐体１の側面下部に形成された左右いずれかの排出口２９ａ、２９ｂから機外へ引き出される図示しない排水ホースを通して排出される。
【００３７】
一方、排水口２６は貯水バルブ３１の流入口にも接続されており、排水バルブ２７が閉鎖状態であって貯水バルブ３１が開放されると、外槽１０内に貯留されている水は排水管２８ではなく、筐体１内で外槽１０の下方に設置されている、３０リットル程度の容量を有する貯水タンク３０に流れ込む。これにより、洗濯に一度使用された水を廃棄せずに貯水タンク３０に溜めることができる。貯水タンク３０と注水口部２３とは環流水路３３により接続され、その途中には中水ポンプ３２が設けられている。
【００３８】
このドラム式洗濯乾燥機では、水道水による最終すすぎが実行された後、そのすすぎに使用された水は廃棄されずに貯水タンク３０に貯留される。貯水タンク３０には貯留水（いわゆる中水）を浄化するための図示しない浄化装置が付設されており、この浄化装置の作用により雑菌が繁殖するのが抑えられる。次の洗濯の際に中水給水が指定されると、給水実行時に中水ポンプ３２が作動され、貯水タンク３０に貯留されている中水が吸引されて環流水路３３を通して注水口部２３に送られ、水道水や風呂水の代わりに洗剤容器６を経て外槽１０内に供給される。これにより、洗濯に使用する水の水量を従来よりも大幅に削減することができる。また、この中水は乾燥運転時の除湿にも利用可能である。
【００３９】
なお、繁雑さを避けるため図２では記載を省略しているが、本実施例のドラム式洗濯乾燥機は脱水後の洗濯物を乾燥させる機能も有している。即ち、外槽１０の後面下部に入口端、外槽１０の前面上部に出口端を有する通風路が接続され、該通風路内には空気の流れに沿って、除湿部、乾燥フィルタ容器７内に収納された乾燥フィルタ、ファン、及びヒータが設けられている。而して、乾燥運転時には、ファンにより生起された空気流がヒータで加熱された後に外槽１０内に供給される。その加熱空気はドラム１３内部を通過する際に洗濯物と熱交換を行って水分を奪い、除湿部においてその空気中の水蒸気が除去される。除湿後の乾いた空気は乾燥フィルタを通過し、ファンを経てヒータに戻る、というように循環する。
【００４０】
上述したように本実施例のドラム式洗濯乾燥機は、外槽１０の下方に貯水タンク３０を備えており、その分だけ（約１００〜２００ｍｍ）筐体１の全高が高く、筐体１内における外槽１０の位置も高くなっている。振動吸収性能を確保するために上端が上端取付金具１１ａにより外槽１０に固定されるダンパ１１の長さは長くすることができないため、ここではダンパ１１の下端の取付構造を次のようにしている。このダンパ下端の取付構造を含む筐体１の底部構造について図３〜図５により説明する。
【００４１】
図３は筐体１の底部を構成する部材である脚台部８０にダンパ１１及び貯水タンク３０を装着した状態の斜視図、図４は図３の状態を底面側から見たときの斜視図、図５は図３のダンパ１１の位置での正面縦断面図である。
【００４２】
脚台部８０は樹脂成型品であり、その底面の四隅に円盤状でゴム製の支持脚８５が取り付けられる（なお、図では１個所のみ支持脚８５を取り付けた状態を示している）。脚台部８０の上面で中央からやや後方付近には、左右の両側壁面の内側に上方に突出して嵩上げ部８０ａが形成され、両側の嵩上げ部８０ａの間は大きな開口部となっている。左右の嵩上げ部８０ａにはそれぞれ金属製で断面略コ字状であるダンパ取付部材８１が前後方向に延伸するように被装され、４本のネジで脚台部８０に対し固定されている。また、嵩上げ部８０ａの下側には金属製で断面コ字形状であってダンパ取付部材８１よりも長いサイズの補強部材８２がダンパ取付部材８１と同一方向、つまり前後方向に延伸するように取り付けられる。この補強部材８２は前後の支持脚８５の真近まで延びている。
【００４３】
さらに、左右の補強部材８２の間に差し渡すように左右方向に延伸する金属製の２本のタンク取付板８３が取り付けられている。具体的には、脚台部８０にあって補強部材８２が密着する下面の所定個所には位置決めピン８０ｂが下向きに突設されている。そして、タンク取付板８３の両端部に穿設された位置決め孔が位置決めピン８０ｂに挿入するように各タンク取付板８３の前後方向の取り付け位置が決められ、その下方からさらに上述した補強部材８２が取り付けられる。そして、補強部材８２とタンク取付板８３とが重なり合った個所において、下方からボルト８４で両部材８２、８３を脚台部８０に対し共締めしている。２本の補強部材８２と２本のタンク取付板８３とが矩形状に組まれるので、これにより脚台部８０自体の強度が向上し、捻れなどの変形が生じにくい。
【００４４】
貯水タンク３０は、その下面に下方に突出する位置決めピン３０ａを有し、その位置決めピン３０ａがタンク取付板８３に穿設されている位置決め孔８３ｂに挿入されるように、その位置が決められる。そのように位置決めされた状態では、タンク取付板８３に穿設されているネジ孔８３ａの上に貯水タンク３０のボスが位置するから、ネジ孔８３ａに挿入したネジをボスに螺入することにより貯水タンク３０をタンク取付板８３に固定する。
【００４５】
貯水タンク３０に水が充満されるとかなりの重量（ここでは３０ｋｇ程度）となるが、貯水タンク３０を保持する２本の取付板８３は補強部材８２と脚台部８０との間に挟まれて共締めされているため、十分な強度を保ち、安定して貯水タンク３０を保持することができる。また、脚台部８０と一体である嵩上げ部８０ａは樹脂製であって金属と比べると強度が劣るが、高い強度を有するダンパ取付部材８１と補強部材８２とにより上下から挟まれているこによって嵩上げ部８０ａの強度は高められており、後述するダンパ１１からの力が加わっても破損を生じない。
【００４６】
左右２本のダンパ１１の下端は下端取付金具１１ｂによりそれぞれ上述したダンパ取付部材８１に対し固定される。したがって、ダンパ１１の長さは従来と同じであっても嵩上げ部８０ａの分だけダンパ１１を高い位置に取り付けることができ、ダンパ１１は従来と同様の振動抑制（吸収）効果を発揮する。
【００４７】
次に、本実施例のドラム式洗濯乾燥機においてドラム１３のドラム前面開口１３ａの周囲に装着される円環状のバランサ４０の構造について、図６〜図８により説明する。図６は図２中のＡ部の拡大図、図７はバランサ４０の中心軸線Ｃ（回転軸）に直交する面での断面の一部を示す図、図８はバランサ４０のＢ−Ｂ’矢視線及びＣ−Ｃ’矢視線での断面図である。
【００４８】
バランサ４０は合成樹脂製の２つの部材を突き合わせて振動溶着により一体化したものであり、両部材の内周側及び外周側の壁面には溶着時の突き合わせの面積を確保するために周方向に広がるフランジが形成されていて、溶着により両部材のフランジが一体化されてリブ４０ｅ、４０ｆとなっている。図６に示すように、ドラム１３は、ステンレス板を円筒形状に形成した胴部材１３１と前端面を形成する円環状の前端面部材１３２とを含むが、前端面部材１３２はその断面が略コ字形状となっており、内周側の縁端部は略半円状に外周方向に巻き込まれたカール部１３３となっている。この前端面部材１３２の外周側縁端部と胴部材１３１の前縁端部とは加締めによって接合された上で、胴部材１３１の外側から螺入されたネジ１３５により固定されている。
【００４９】
前端面部材１３２の断面略コ字形状の凹部はバランサ４０が半分程度収まるようになっており、そのようにバランサ４０を凹部に収納したときに外周側のリブ４０ｆは加締部１３４に当接し、内周側のリブ４０ｅはカール部１３３に当接する。そして、このように凹部に収納されたバランサ４０は、前端面部材１３２と胴部材１３１とを接合するネジ１３５により、その両部材１３１、１３２に対して、つまりドラム１３に対して固定されている。
【００５０】
バランサ４０は同心円環状で且つ径の相違する、内周側から順に符号４０ａ、４０ｂ、４０ｃ、４０ｄを付した４本の環状流路を有し、各環状流路４０ａ、４０ｂ、４０ｃ、４０ｄにはそれぞれ所定量の液体（例えば塩化カルシウム溶液など）が封入されている。この各環状流路４０ａ、４０ｂ、４０ｃ、４０ｄの内部には所定角度（この例では約１５°）毎に、外周側壁面から内方に延出するように仕切壁４１が設けられている。各仕切壁４１の内周側縁端部と環状流路の内周側壁面との間に回転軸方向に細長い内周側連通開口部４２が形成され、各仕切壁４１の基部である外周側壁面に沿って同じく回転軸方向に延伸する短い外周側連通開口部４３が形成されている。これにより、仕切壁４１により区画される隣接する区画室同士は、内周側連通開口部４２及び外周側連通開口部４３を通して連通している。
【００５１】
ここで後述する脱水運転においてドラム１３の振動を効果的に抑制するために、次のような点が重要である。即ち、基本的には、内部に封入された液体の急な移動を制限するため、仕切壁４１の間隔を狭くする。隣接する仕切壁４１の角度間隔は３０°程度以下が好ましく、本実施例ではこれを１５°に設定している。
【００５２】
さらに、後述するバランス調整の際に重力を利用して液体を移動させるために、仕切壁４１の内周側に連通開口部４２を設けながらも、遠心力が重力よりも大きな状態では各区画室内に保持された液体が仕切壁４１を乗り越えないようにし、各区画室内に保持可能な液体の容量を十分に確保する必要がある。そのために、各仕切壁４１はその高さｈが高くなっている。仕切壁４１の高さｈと内周側連通開口部４２の高さｓは、０．２≦ｓ／（ｈ＋ｓ）≦０．３の関係にあることが好ましく、ここではこの値を０．２６に設定している。
【００５３】
また、このバランサ４０がいわゆる流体バランサとして機能するためには高速回転時に液体が円周方向に移動可能である必要があるが、前述のバランス調整によって或る１乃至複数の区画室に保持された液体が他の区画室に簡単に移動してしまうことを避ける必要もある。そこで、外周側連通開口部４３の面積は小さくされている。外周側連通開口部４３の面積Ｄと仕切壁４１の面積Ｅは、Ｄ／Ｅ≦０．１の関係にあることが好ましく、ここではこの値を０．０４５に設定している。このような構造のバランサ４０による振動抑制作用については後で説明する。
【００５４】
図９は本実施例のドラム式洗濯乾燥機の電気系ブロック構成図である。制御部５０はＣＰＵ、ＲＯＭ、ＲＡＭ、タイマなどを含むマイクロコンピュータ（マイコン）を中心に構成されており、ＲＯＭに格納されている制御プログラムに基づいて、洗い、すすぎ、脱水及び乾燥の各行程の運転動作を行うための各種の制御を実行する。制御部５０には、使用者が各種設定や指示を与えるために操作パネル５に設けられた操作部５３からキー入力信号が与えられるとともに、外槽１０内に貯留された水の水位を検知する外槽内水位検知部５５、貯水タンク３０内に貯留された水の水位を検知する貯水タンク内水位検知部５６などから検出信号が入力される。
【００５５】
また制御部５０にはインバータ駆動部５２が接続されており、ドラムモータ１７の回転に伴ってパルス信号を発生する回転センサ５９からの信号を受けつつ、インバータ駆動部５２を介してドラムモータ１７の回転を制御する。回転センサ５９はホール素子を利用した位置センサであり、ここではドラムモータ１７の１回転当たり（つまりドラム１３の１回転当たり）７２個のパルス信号を等回転（５°）角度間隔で発生する。したがって、ドラムモータ１７が正確に一定速度で回転している場合にはパルス信号は等時間間隔で発生し、制御部５０は隣接するパルス信号の時間間隔によってドラムモータ１７の回転速度を検出することができる。
【００５６】
また制御部５０には負荷駆動部５１が接続されており、この負荷駆動部５１を介して、上述した給水バルブ２１、風呂水ポンプ２２、排水バルブ２７、貯水バルブ３１、中水ポンプ３２のほか、乾燥用のファンモータ５７及びＰＴＣヒータ５８などの動作をそれぞれ制御する。さらにまた、制御部５０は操作部５３の操作に応じた表示や運転進行状況を知らせるための表示を行うべく表示部５４に表示信号を送る。
【００５７】
次に、本実施例のドラム式洗濯乾燥機における特徴的な脱水運転時の制御について説明する。図１０は脱水行程時のドラム１３の回転速度の概略的な変化の状態を示す図、図１１は脱水行程時の制御フローチャートである。なお、このドラム式洗濯乾燥機では、洗い運転や最終すすぎを除くすすぎ運転の後に中間脱水を行い、最終すすぎの後には最終脱水を行うが、ここでいう脱水行程とは中間脱水と最終脱水の両方を含む。
【００５８】
脱水行程が開始されると、制御部５０はまず貯水タンク内水位検知部５６からの検知信号に基づいて貯水タンク３０内に水が有るか否かを判定する（ステップＳ１０）。ここでは或る水位以上の水が貯留されているときに水有りと判断する。水有りと判定されると偏心量を判定する基準である４つの判定閾値Ｔa、Ｔb、Ｔc、ＴdをそれぞれＴa1、Ｔb1、Ｔc1、Ｔd1と決め、水無しと判定されると同じ判定閾値Ｔa、Ｔb、Ｔc、ＴdをそれぞれＴa2、Ｔb2、Ｔc2、Ｔd2と決める（ステップＳ１２、Ｓ１４）。貯水タンク３０に水が有る場合には水が無い場合に比べて貯水タンク３０の重量がかなり大きく、これ自体が重錘として機能するため筐体１の振動を抑制する効果がある。そこで、Ｔa1＞Ｔa2、Ｔb1＞Ｔb2、Ｔc1＞Ｔc2、Ｔd1＞Ｔd2としておくことにより、貯水タンク３０内に水が有る場合には判定閾値を上げ、より大きな偏心量を許容する。
【００５９】
各判定閾値が決まると、インバータ駆動部５２を介してドラムモータ１７を作動させ、ドラム１３の回転速度を１００ｒｐｍまで上昇させるべく制御する（ステップＳ１６）。ドラム１３が１００ｒｐｍで回転されるとき、ドラム１３内の洗濯物に作用する遠心力は重力よりも大きくなり、洗濯物は完全にドラム１３の内周面に張り付いた状態でドラム１３と一体に回転する。回転センサ５９により得られるパルス信号に基づいて回転速度が１００ｒｐｍに到達したことが検知されると、制御部５０は回転速度を１００ｒｐｍに維持するように速度制御を行い、その状態で１回目の偏心量検知を実行する（ステップＳ１８）。
【００６０】
偏心量は、ドラム１３の回転速度を１００ｒｐｍに維持するように一定速度制御しているときの実際の回転速度の変動に基づいて求める。即ち、ドラム１３に偏心荷重が存在している場合、ドラム１３の回転に伴って偏心荷重がドラム１３上方から下方に向かうときにはその偏心荷重はドラム１３を加速するように作用し、逆に偏心荷重がドラム１３下方から上方に向かうときにはドラム１３を減速させるように作用する。その加速作用及び減速作用によってドラム１３が１回転する間に回転速度が変動するため、制御部５０は回転センサ５９から得られるパルス信号の時間間隔を計測することによって速度変動を求め、この変動量に応じて偏心量を推算する。このときに検知された偏心量をＸとする。なお、偏心量算出方法の詳細は後述する。
【００６１】
制御部５０は検知された偏心量Ｘが判定閾値Ｔa以下であるか否かを判定する（ステップＳ２０）。そして、偏心量Ｘが判定閾値Ｔaを超えている場合には後述のバランス調整によっても偏心を修正できないため、ドラム１３の回転速度を減速させるか又は一旦停止させてほぐし運転を実行し（ステップＳ２２）ステップＳ１６へと戻る。上述のように判定閾値ＴaはＴa1又はＴa2であってＴa1＞Ｔa2であるから、貯水タンク３０に水が有れば、より大きな偏心量が存在してもほぐし運転に移行する確率は小さくなる。
【００６２】
ステップＳ２０において偏心量Ｘが判定閾値Ｔa以下である場合には、次に偏心量Ｘが判定閾値Ｔd以下であるか否かを判定する（ステップＳ２６）。必ずＴd＜Ｔaであるため、偏心量Ｘが判定閾値Ｔa以下であっても判定閾値Ｔdを超えている場合もある。このときの判定閾値Ｔdは、ドラム１３の高速回転時に振動が許容し得る範囲に収まる最大値である。したがって、ステップＳ２６で偏心量Ｘが判定閾値Ｔdを超えていると判定された場合には、バランス調整を行わずにドラム１３の回転速度を上げると異常振動が発生する可能性が高いため後述するバランス調整動作を実行し（ステップＳ２８）、その後にステップＳ１８へと戻ってバランス調整実行後の偏心量を確認する。
【００６３】
ステップＳ２６で偏心量Ｘが判定閾値Ｔd以下であると判定されると、制御部５０はドラム１３の回転速度を１００ｒｐｍから上昇させるようにインバータ駆動部５２を介してドラムモータ１７を制御する（ステップＳ３０）。そして回転速度が３００ｒｐｍに達するまでは連続的に偏心荷重の量と位置とを検知する。このドラム式洗濯乾燥機におけるドラム１３や外槽１０を含む揺動機構部の共振回転速度は、ドラム１３内に収容されている洗濯物の量にも依存するものの平均的には２５０ｒｐｍ程度である。そのため、回転速度が２５０ｒｐｍに近づくほど振動が大きくなる傾向にあるが、特にドラム１３の回転速度が１４０〜１６０ｒｐｍを越えるくらいになると、軸方向に離れ、且つ互いに回転軸を挟んで互いに反対の位置に存在する２つの偏心荷重（以下これを対向偏心と呼ぶ）の影響が顕著に出始め、ドラム１３の周方向にみたときの偏心量が小さい場合であっても対向偏心に起因する振動が大きくなり始める。
【００６４】
ここでは詳しく述べないが、ドラム１３の速度上昇を一定に維持するように制御したときの１回転の間での加速度の変動を利用することで、対向偏心の程度を推定することができる。そこで、上述したように回転速度を上昇させている期間中、対向偏心に起因する偏心量Ｙを繰り返し検知し（ステップＳ３２）、偏心量Ｙが判定閾値Ｔb以下であるか否かを判定する（ステップＳ３４）。偏心量Ｙが判定閾値Ｔbを超えている場合にはドラム１３の回転速度を落として洗濯物のほぐし運転を実行する（ステップＳ２２）。問題なく回転速度が共振回転速度を通過し、３００ｒｐｍ以上になったならばさらに回転速度を５００ｒｐｍまで上昇させ、回転速度が５００ｒｐｍに達したならばそれを維持するように制御する（ステップＳ３６）。
【００６５】
このときの回転速度は脱水運転の最高回転速度である１０００ｒｐｍよりは低いものの、洗濯物に含まれる水をかなりの程度、絞り出すことが可能であるような回転速度である。このとき、バランサ４０内の液体には大きな遠心力が作用し、各環状流路４０ａ、４０ｂ、４０ｃ、４０ｄ内で外周側壁面に液体が張り付く。したがって、内周側連通開口部４２は存在しないものとみなすことができ、外周側連通開口部４３を通して液体はドラム１３全体の偏心が小さくなるように移動する。即ち、バランサ４０は本来の流体バランサとして機能し振動を抑制する。
【００６６】
但し、バランス調整を実行した時点からこの時点までにドラム１３内の洗濯物は軽い絞りがなされた状態となるため、特に化学繊維など水が抜け易い性質の衣類では洗濯物の重量が大きく変化している可能性がある。この変化が、流体バランサとして機能するバランサ４０の偏心抑制可能範囲を超えてしまう場合には、洗濯物を軽く絞ったことによって重量のバランスが崩れ、偏心量が大きく増加している可能性がある。脱水効率の点からはさらに回転速度を上げることが望ましいが、上記のように偏心量が大きく増加した状況のまま回転速度を上げてしまうと、異常振動を引き起こすおそれがある。そこで、回転速度が５００ｒｐｍである状態において、上記対向偏心荷重検知と同様の処理により偏心量Ｚを検知する（ステップＳ３８）。
【００６７】
そして、偏心量Ｚが判定閾値Ｔc以下であるか否かを判定し（ステップＳ４０）、判定閾値Ｔcを超えている場合には偏心量の増加が大きいために脱水運転を継続すると異常振動の発生するおそれが高いと判断し、ドラム１３を一旦停止するか又はそれに近い速度まで減速してほぐし運転を実行し（ステップＳ２２）ステップＳ１６へと戻って脱水立ち上げをやり直す。一方、偏心量Ｚが判定閾値Ｔc以下であればさらに回転速度を１０００ｒｐｍまで上昇させて脱水運転を遂行する（ステップＳ４２）。なお、偏心量Ｚを判定する判定閾値を複数段階にし、偏心量Ｚがいずれの範囲に入るのかによって脱水運転の最高回転速度を８００ｒｐｍ、９００ｒｐｍ、１０００ｒｐｍの３段階に分けるようにしてもよい。このようにドラム１３を高速で回転させて脱水を遂行している期間中は、バランサ４０内の液体の移動によって、つまり流体バランサの機能によって振動は抑制される。
【００６８】
次に、上記ステップＳ２８において実行されるバランス調整について詳しく説明する。図１２はバランス調整の原理を説明するための模式図である。この図では、バランサ４０中の１本の環状流路のみを拡大し、隣接する仕切壁４１の間隔も上記実施例よりも広げている。また、仕切壁４１に設けられた外周側連通開口部も省略している。
【００６９】
バランサ４０の内部は放射状に設けられた仕切壁４１で複数の区画室４４に分けられている。各区画室４４は内周側連通開口部４２を通して互いに連通しているが、内部に封入された液体の自由な移動は仕切壁４１によって妨げられる。したがって、バランサ４０内に封入されている液体に作用する遠心力が重量に勝るような回転速度でドラム１３を回転させると、液体は各区画室４４内で外周側に片寄り各区画室４４内に保持される。したがって、外周側連通開口部４３による液体の移動を無視すれば（実際に短時間の範囲では無視できる）、各区画室４４はその内部に保持している液体の重量の分だけ、それぞれの位置に重錘を付加したものとみなすことができる。
【００７０】
全ての区画室４４に同量の液体が保持されている場合、バランサ４０による偏心量は殆どゼロであるとみなせる。一方、液体が特定の区画室４４内に片寄って保持されている場合には、バランサ４０によって回転軸周りにアンバランスが生じ偏心荷重が存在することになる。ドラム１３内周面に張り付いた状態で回転している洗濯物の片寄りによって偏心荷重が生じている場合、その洗濯物に起因する偏心荷重と釣り合うような位置にバランサ４０の偏心荷重を意図的に生じさせるように重量バランスを変化させれば、ドラム１３全体の偏心量は減少することになる。
【００７１】
いま図１２（ａ）に示すように、ドラム１３が例えば１００ｒｐｍで回転していて各区画室４４に保持されている液体の量がほぼ均等である状態、つまりバランサ４０自体には偏心荷重がない状態を考える。このとき、ドラム１３の円周方向の洗濯物の片寄りによって偏心荷重Ｗが存在しているものとする。この場合、一定速度制御の状態でドラム１３の回転速度の変動に基づいてドラム１３全体の偏心荷重の量と位置とを検知し、検知した偏心位置に応じた所定のタイミングで以てドラム１３の回転速度を短時間だけ減速させる。すると、減速の期間中に液体に作用する遠心力が減少し、図１２（ｂ）に示すように、そのときに回転上方に来ている区画室４４ａから内周側連通開口部４２を経て液体が流出し、他の区画室４４に移動する。
【００７２】
即ち、各区画室４４に貯留されている液体の量の配分が変化してバランサ４０自体に偏心が生じるから、ドラム１３の減速のタイミングを適切に決めることによって洗濯物の片寄りに起因する偏心荷重Ｗが存在する位置近傍の区画室内の液量を減少させ、それに対向する位置近傍の区画室内の液量を増加させることができる。こうした減速動作を１乃至複数回繰り返すことにより、最終的には図１２（ｃ）に示すように、洗濯物の片寄りに起因する偏心荷重Ｗが存在する位置近傍の区画室４４ａ内の液体を減らし、回転軸を挟んでそれに対向している区画室４４ｂにおける液量を増加させる。これにより、バランサ４０による偏心荷重と洗濯物の片寄りに起因する偏心荷重とがうまくバランスし、ドラム１３全体のアンバランスを修正することができる。
【００７３】
上述したバランス調整を実行する際には偏心荷重の位置を検知する必要があるが、このドラム式洗濯乾燥機では、ドラムモータ１７やドラム１３に絶対的な回転位置基準を設けていない。即ち、ドラムモータ１７やドラム１３の１回転期間中の或る決まった位置に来たときにこれを検知してパルス信号を生成するような検知機構（通常は磁石とホール素子との組み合わせ）を設けていない。そこで、ステップＳ１８の偏心荷重の検知は次のようにして行う。図１３は制御部５０における回転位置決め用回路の構成図、図１４は図１３の回路の動作タイミング図である。
【００７４】
第１カウンタ７０は回転センサ５９で得られるドラム１３の１回転期間中に７２個発生するパルス信号Ｐ１をクロック信号としてカウントアップし、そのカウント値が「７２」になると所定値検出部７１によりパルス信号Ｐ２が生成されて第１カウンタ７０はリセットされる。したがって、第１カウンタ７０はドラム１３の１回転に相当する期間中で０〜７１のカウント値αを出力し、これをドラム１３が回転している限り繰り返す。第２カウンタ７２は所定値検出部７１で生成されるパルス信号Ｐ２をクロック信号としてカウントアップするから、ドラム１３がちょうど１回転する毎に１ずつカウント値βが増加する。パルス信号Ｐ２の発生位置はドラム１３やドラムモータ１７の１回転中の絶対位置ではないが、パルス信号Ｐ２は必ずドラム１回転毎に発生するから、この発生位置を基準として、即ち、カウント値αの値で以て偏心荷重の位置を表すことができる。
【００７５】
具体的には、制御部５０は次のようにして偏心荷重の量と位置とを検知する。即ち、回転速度が１００±２ｒｐｍの範囲に収まったならば、回転センサ５９からのパルス信号Ｐ１が入力される毎に得られる速度データ（連続する２個のパルス信号Ｐ１の時間間隔を示すデータ）を１２０個取得する。１２０個の速度データとはドラム１３が約１．７回転する期間中の速度変化を反映した情報である。この１２０個の速度データに対し、時間的に隣接する１５個の速度データの移動平均を順番に計算する。これにより１０６個の移動平均値が得られるから、これに対し再び１５個の値の移動平均を順番に計算する。これにより９２個の２回目の移動平均値が得られる。
【００７６】
それから、この９２個の移動平均データについて時間的に隣接するものの差分をそれぞれ計算し、９１個の差分データを得る。ドラム１３の円周方向の洗濯物の片寄りによる偏心が存在する場合、通常、上述したようにドラム１３が１回転する間に１回の加速作用と減速作用とが生じるため、その１回転期間中に上記差分データの極大点と極小点が１個ずつ発生する。そこで、上述した９１個の差分データの中でこの極大点及び極小点を見い出し、極大値と極小値との差により偏心荷重の大きさを求め、極大点（又は極小点）が存在する位置（カウント値α）により偏心荷重の位置を検知する。
【００７７】
但し、上記のような１回の手順のみでは外乱等の影響が排除できないため、１回目に１２０個の速度データを取得したのと同じタイミングで以て（つまり同一の１．７回転期間の１２０個の速度データを得られるように）、４回同じ手順で以て偏心荷重の量と位置とを求め、その平均をとるものとする。これによって得られた偏心量がステップＳ１８での偏心量Ｘとなる。
【００７８】
偏心量Ｘが判定閾値Ｔdを超えている場合には、上述したように所定のタイミングでド
ラム１３を一時的に減速させることでバランサ４０内の各区画室に保持されている液体を移動させてバランス調整を行うが、その制御に必要な各種パラメータ、即ち、減速のタイミング、減速時間、減速速度、加速時間、加速速度などは、直前に検知された偏心荷重の位置情報などを考慮して決められる。そして、実際に減速を行うためにブレーキを掛けるタイミングは、パルス信号Ｐ２の発生位置を基準として決められる。したがって、偏心荷重の大きさ及び位置の検知からそれを修正するためのバランス調整を終了するまでの期間中は、第２カウンタ７２をリセットしない。
【００７９】
以上のように、本実施例のドラム式洗濯乾燥機では、ドラム１３やドラムモータ１７の回転位置を示す絶対的な基準を設けることなく、電源投入毎に実際のドラム１３の円周上の位置との対応関係が変化する相対基準を用いて偏心位置の検知やバランス調整動作などを遂行し、偏心荷重を小さくすることができる。それによって、最も振動が大きくなる共振回転速度付近においても、異常な振動が生じることを防止できる。
【００８０】
なお、上記実施例のドラム式洗濯乾燥機では、貯水タンク内水位検知部５６により貯水タンク３０内の水の有無のみを判断していたが、例えば水量（又は水位）をより細かく計測可能なセンサを用いた場合に、その水量が多いほどつまりは貯水タンク３０の重量が大きいほど脱水運転時のドラム１３の最高回転速度を高く設定し、脱水効率を高めるようにすることができる。
【産業上の利用可能性】
【００８１】
本発明に係るドラム式洗濯機は、上記実施例に示した構成に限定されず、種々の形態のものに適用できるものであり、本発明の技術的範囲において種々の形態を包含するものである。
【符号の説明】
【００８２】
１…筐体
１０…外槽
１１…ダンパ
１１ａ…上端取付金具
１１ｂ…下端取付金具
１２…パッキン
１３…ドラム
１４…主軸
１５…軸受固定部材
１６…軸受
１７…ドラムモータ
３０…貯水タンク
３０ａ…位置決めピン
３１…貯水バルブ
３２…中水ポンプ
３３…環流水路
４０…バランサ
４０ａ、４０ｂ、４０ｃ、４０ｄ…環状流路
４１…仕切壁
４２…内周側連通開口部
４３…外周側連通開口部
４４…区画室
５０…制御部
５１…負荷駆動部
５２…インバータ駆動部
５６…貯水タンク内水位検知部
５９…回転センサ
７０…第１カウンタ
７１…所定値検出部
７２…第２カウンタ
８０…脚台部
８０ａ…嵩上げ部
８０ｂ…位置決めピン
８１…ダンパ取付部材
８２…補強部材
８３…タンク取付板
８３ａ…ネジ孔
８３ｂ…位置決め孔
８４…ボルト
８５…支持脚
【図１】
2011019964.tif 000003
【図２】
2011019964.tif 000004
【図３】
2011019964.tif 000005
【図４】
2011019964.tif 000006
【図５】
2011019964.tif 000007
【図６】
2011019964.tif 000008
【図７】
2011019964.tif 000009
【図８】
2011019964.tif 000010
【図９】
2011019964.tif 000011
【図１０】
2011019964.tif 000012
【図１１】
2011019964.tif 000013
【図１２】
2011019964.tif 000014
【図１３】
2011019964.tif 000015
【図１４】
2011019964.tif 000016